(57)【要約】  無線アクセスゲートウェイ、無線アクセスポイント、無線アクセス網を開示している。移動端末は無線アクセスポイントを介してパケット交換網に接続され、パケット交換サービスの伝送を行う。無線アクセスゲートウェイは無線アクセスポイントを管理し、データ伝送を制御する。無線アクセス網が従来の移動通信網と組合せすることができる。移動端末は無線アクセスポイントを介して直接パケット交換網とパケット交換サービスを交換し、移動通信網における回線交換ドメインを介して回線交換ドメインサービスを伝送することができる。パケット交換網にアクセスする処理手順を簡略化し、ネットワーク処理の遅延時間を減少し、転送機能を向上させている。
2009508416.tif 000002
【特許請求の範囲】
【請求項１】
無線アクセスゲートウェイであって、
移動端末の網アクセスを制御し、前記移動端末の移動管理を行い、パケット交換サービスのルーティングと転送制御を行うものであり、
前記移動端末のアクセス要求を受信し、移動管理モジュールによって提供されたアドレス情報に基づき、前記移動端末とパケット交換網との間の通信リンクを確立する網アクセス制御モジュールと、
移動通信網での前記移動端末のアドレス情報を管理する移動管理モジュールと、
前記移動端末によって要求された前記パケット交換サービスの前記パケット交換網での転送パスを確立、修正及び解放するパケットルーティングと転送制御モジュールと
を含むことを特徴とする無線アクセスゲートウェイ。
【請求項２】
前記網アクセス制御モジュールに接続され、前記移動端末と前記移動通信網との間で交換の音声パケットのカプセル化と転送を管理する音声転送管理モジュールをさらに含むことを特徴とする請求項１に記載の無線アクセスゲートウェイ。
【請求項３】
無線アクセスポイントに対して認証と登録を行う無線アクセスポイント管理モジュールをさらに含むことを特徴とする請求項１に記載の無線アクセスゲートウェイ。
【請求項４】
移動加入者のために課金ポリシー管理、課金情報の収集と報告を行い、前記移動加入者のために課金インタフェースを提供する課金管理モジュールをさらに含むことを特徴とする請求項１に記載の無線アクセスゲートウェイ。
【請求項５】
伝送網の操作と維持機能を提供する網管理モジュールをさらに含むことを特徴とする請求項１に記載の無線アクセスゲートウェイ。
【請求項６】
前記網アクセス制御モジュールは、さらに、前記移動端末に対して認証、認可及びアドミタンスを行うことを特徴とする請求項１〜請求項５のいずれか１項に記載の無線アクセスゲートウェイ。
【請求項７】
無線アクセスポイントであって、
伝送網を介してパケット交換網に接続され、無線リソースを割り当て及び管理することで移動端末の前記パケット交換網へのアクセスを実現し、前記移動端末と前記パケット交換網との間で交換のパケット交換サービスをカプセル化して転送し、
前記移動端末からのアクセス要求を受信した後、無線リンクを確立し又は解放し、前記移動端末のアクセスに対してアドミタンス制御を行う無線アクセスモジュールと、
前記移動端末と前記パケット交換網との間で交換の前記パケット交換サービスをカプセル化し、前記無線アクセスモジュールによって確立された前記無線リンクを通じて前記パケット交換サービスを転送するパケット転送モジュールと、
前記移動端末のアクセスのために前記無線リソースの割当て、回収及び維持を行う無線リソース管理モジュールと
を含むことを特徴とする無線アクセスポイント。
【請求項８】
前記無線アクセスモジュールに接続され、音声パケットのフォーマット変換を行う音声  符号化復号化モジュールをさらに含むことを特徴とする請求項７に記載の無線アクセスポイント。
【請求項９】
無線アクセス網であって、
無線アクセスゲートウェイと、伝送網を介して前記無線アクセスゲートウェイに接続される一つ以上の無線アクセスポイントとを含み、
前記無線アクセスポイントは、前記伝送網を介してパケット交換網に接続され、無線リソースを割り当てることで移動端末の前記パケット交換網へのアクセスを実現し、前記無線リソースを管理し、前記移動端末と前記パケット交換網との間で交換のパケット交換サービスをカプセル化して転送し、
前記無線アクセスゲートウェイは、前記移動端末に対して網アクセス制御及び移動管理を行い、前記移動端末に対して前記パケット交換サービスのルーティングと転送制御を行う
ことを特徴とする無線アクセス網。
【請求項１０】
前記移動端末のユーザ契約情報と、アクセス制御情報と、位置情報と、認証情報とを記憶するユーザ契約レジスタをさらに含み、
前記ユーザ契約レジスタは、直接又はシグナリング伝送ポイントを介して前記無線アクセスゲートウェイに接続され、
前記無線アクセスゲートウェイは、さらに、前記アクセス要求に基づき、前記ユーザ契約情報を検索し、前記移動端末に対して認証を行い、前記移動端末が認証でパスした場合、前記無線アクセスポイントを介して前記パケット交換網への接続を確立するように前記移動端末を管理する
ことを特徴とする請求項９に記載の無線アクセス網。
【請求項１１】
前記ユーザ契約レジスタが移動通信網におけるホームロケーションレジスタ（ＨＬＲ）であることを特徴とする請求項１０に記載の無線アクセス網。
【請求項１２】
前記無線アクセスゲートウェイは、さらに、前記アクセス要求に基づき、前記サービスを判断し、前記サービスが音声サービスである場合、前記移動端末を移動通信網の回線交換ドメインにアクセスすることを特徴とする請求項９に記載の無線アクセス網。
【請求項１３】
前記無線アクセスゲートウェイに接続され、前記移動端末に対して認証及び認可を行う認証認可課金（ＡＡＡ）サーバをさらに含むことを特徴とする請求項９に記載の無線アクセス網。
【請求項１４】
前記無線アクセスゲートウェイは、移動通信網内のパケット交換ドメインゲートウェイに接続され、前記移動端末は、前記パケット交換ドメインゲートウェイを介して移動パケットサービスにアクセスすることを特徴とする請求項９に記載の無線アクセス網。
【請求項１５】
前記無線アクセスゲートウェイは、移動通信網内の交換センターに接続され、前記移動端末は、前記交換センターを介して公衆交換電話網（ＰＳＴＮ）に接続されることを特徴とする請求項９に記載の無線アクセス網。
【請求項１６】
前記無線アクセスポイントは、さらに、移動通信網内の交換センターと、パケット交換ドメインゲートウェイとに接続され、
前記移動端末は、前記無線アクセスポイントを介して移動パケットサービスにアクセスし、又は前記パケット交換ドメインゲートウェイを介して移動パケットサービスにアクセスし、又は前記交換センターを介して回線交換ドメインサービスにアクセスすることを特徴とする請求項９〜請求項１５のいずれか１項に記載の無線アクセス網。
【請求項１７】
前記パケット交換ドメインゲートウェイはゲートウェイ汎用パケット無線サービス（ＧＰＲＳ）サポートノード（ＧＧＳＮ）であり、前記交換センターは移動交換センター（ＭＳＣ）であり、前記移動通信網はユニバーサルモバイルテレコミュニケーションシステム（ＵＭＴＳ）網、ＧＰＲＳ網又は時分割−同期符号分割多重接続（ＴＤ−ＳＣＤＭＡ）網であり、又は、
前記パケット交換ドメインゲートウェイはパケットデータサービスノード（ＰＤＳＮ）であり、前記交換センターは移動交換センター（ＭＳＣ）であり、前記移動通信網はＣＤＭＡ２０００網である
ことを特徴とする請求項１６に記載の無線アクセス網。
【請求項１８】
前記伝送網はデジタル加入者線（ｘＤＳＬ）網、アイピーオーバーイーサネット（登録商標）（ＩＰ  ｏｖｅｒ  Ｅｔｈｅｒｎｅｔ（登録商標））網、アイピーオーバーエーティーエム（ＩＰ  ｏｖｅｒ  ＡＴＭ）網又はワイマックス（ＷｉＭＡＸ）網であることを特徴とする請求項９〜請求項１５のいずれか１項に記載の無線アクセス網。
【請求項１９】
無線アクセス方法であって、
無線アクセスポイントが、移動端末によって要求されたサービスのサービスタイプを含むアクセス要求を受信し、
前記無線アクセスポイントが、前記アクセス要求におけるサービスタイプを無線アクセスゲートウェイに送信し、
前記無線アクセスゲートウェイが、前記移動端末によって要求された前記サービスがパケット交換サービスであると判断した場合、前記移動端末とパケット交換網との間の通信接続を確立する
ことを含むことを特徴とする無線アクセス方法。
【請求項２０】
前記無線アクセスポイントが前記アクセス要求における前記サービスタイプを前記無線アクセスゲートウェイに送信した後、
前記無線アクセスゲートウェイが、前記要求されたサービスが移動パケットサービスである場合、前記移動端末とパケット交換ドメインゲートウェイとの間の通信接続を確立し、ここで、前記移動端末が前記パケット交換ドメインゲートウェイを介して前記移動パケットサービスにアクセスする
ことをさらに含むことを特徴とする請求項１９に記載の無線アクセス方法。
【請求項２１】
前記無線アクセスポイントが前記アクセス要求における前記サービスタイプを前記無線アクセスゲートウェイに送信した後、
前記無線アクセスゲートウェイが、前記要求されたサービスが回線交換ドメインサービスである場合、前記移動端末と交換センターとの間の通信接続を確立し、ここで、前記移動端末が前記交換センターを介して前記回線交換ドメインサービスにアクセスする
ことをさらに含むことを特徴とする請求項１９に記載の無線アクセス方法。
【請求項２２】
前記無線アクセスポイントが前記アクセス要求における前記サービスタイプを前記無線アクセスゲートウェイに送信した後、
前記無線アクセスゲートウェイが前記無線アクセスポイントに対して認証を行う
ことをさらに含むことを特徴とする請求項１９に記載の無線アクセス方法。
【請求項２３】
前記無線アクセスポイントに対して認証を行うことは、設備シリアル番号とキーを通じて前記無線アクセスポイントに対して認証を行うことを含むことを特徴とする請求項２２に記載の無線アクセス方法。
【発明の詳細な説明】
【技術分野】
【０００１】
本発明は無線通信分野に関し、特に無線アクセスを実現する方法、装置及びシステムに関する。
【背景技術】
【０００２】
インターネットサービスの盛んな発展及び広帯域アクセス網と無線網の広範な応用に伴って、高速かつ手軽なネットワークアクセス技術が幅広く注目されている。また、既存の網リソースをよりよく利用し、ネットワーク設備事業者のコストをよりよく保護するために、複数のネットワークサービスへ同時にアクセスする研究が通信業界の新しい注目点になっている。
【０００３】
図１は従来のユニバーサルモバイルテレコミュニケーションシステム（ＵＭＴＳ，Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）網の構成を示す図である。図１に示すように、ＵＭＴＳ網はコア網（ＣＮ，Ｃｏｒｅ  Ｎｅｔｗｏｒｋ）とＵＭＴＳの地上無線アクセス網（ＵＴＲＡＮ，ＵＭＴＳ  Ｔｅｒｒｅｓｔｒｉａｌ  Ｒａｄｉｏ  Ａｃｃｅｓｓ  Ｎｅｔｗｏｒｋ）とからなる。ＣＮは回線交換ドメイン（Ｃｉｒｃｕｉｔ  ｓｗｉｔｃｈｅｄ  Ｄｏｍａｉｎ）とパケット交換ドメイン（ｐａｃｋｅｔ  ｓｗｉｔｃｈｅｄ  ｄｏｍａｉｎ）の二つの部分を含む。ここで、回線交換ドメインは移動交換センター（ＭＳＣ，Ｍｏｂｉｌｅ  Ｓｗｉｔｃｈ  Ｃｅｎｔｅｒ）／在圏ロケーションレジスタ（ＶＬＲ，Ｖｉｓｉｔｉｎｇ  Ｌｏｃａｔｉｏｎ  Ｒｅｇｉｓｔｅｒ）とホームロケーションレジスタ（ＨＬＲ，Ｈｏｍｅ  Ｌｏｃａｔｉｏｎ  Ｒｅｇｉｓｔｅｒ）とを含む。パケット交換ドメインはサービング汎用パケット無線サービス（ＧＰＲＳ，Ｇｅｎｅｒａｌ  Ｐａｃｋｅｔ  Ｒａｄｉｏ  Ｓｅｒｖｉｃｅ）サポートノード（ＳＧＳＮ，Ｓｅｒｖｉｎｇ  ＧＰＲＳ  Ｓｕｐｐｏｒｔ  Ｎｏｄｅ）とゲートウェイＧＰＲＳサポートノード（ＧＧＳＮ，Ｇａｔｅｗａｙ  ＧＰＲＳ  Ｓｕｐｐｏｒｔ  Ｎｏｄｅ）とを含む。ＵＴＲＡＮは一つ以上の無線網サブシステム（ＲＮＳ，Ｒａｄｉｏ  Ｎｅｔｗｏｒｋ  Ｓｕｂｓｙｓｔｅｍ）を含む。各ＲＮＳは一つの無線網制御器（ＲＮＣ，Ｒａｄｉｏ  Ｎｅｔｗｏｒｋ  Ｃｏｎｔｒｏｌｌｅｒ）と一つ以上の基地局（Ｎｏｄｅ  Ｂ）とからなる。ＵＴＲＡＮと回線交換ドメインＣＮのインタフェースは回線交換（ＣＳ，Ｃｉｒｃｕｉｔ  Ｓｗｉｔｃｈ）のＩｕインタフェースであり、Ｉｕ−ＣＳインタフェースと略称され、パケット交換ドメインＣＮのインタフェースはパケット交換（ＰＳ，Ｐａｃｋｅｔ  Ｓｗｉｔｃｈ）のＩｕインタフェースであり、Ｉｕ−ＰＳインタフェースと略称される。ＵＭＴＳ無線アクセス技術は図１に示したネットワークアーキテクチャーを採用し、移動端末（ＭＳ）がＣＳを介して公衆交換電話網（ＰＳＴＮ，Ｐｕｂｌｉｃ  Ｓｗｉｔｃｈｅｄ  Ｔｅｌｅｐｈｏｎｅ  Ｎｅｔｗｏｒｋ）にアクセスすることを実現でき、ＭＳがＰＳを介してインターネットのようなパケット交換網にアクセスすることも実現できる。
【０００４】
ＧＰＲＳ網、ＣＤＭＡ２０００及び時分割−同期符号分割多重接続（ＴＤ−ＳＣＤＭＡ，Ｔｉｍｅ  Ｄｉｖｉｓｉｏｎ−  Ｓｙｎｃｈｒｏｎｏｕｓ  −Ｃｏｄｅ  Ｄｉｖｉｓｉｏｎ  Ｍｕｌｔｉｐｌｅ  Ａｃｃｅｓｓ）網において、そのネットワークアーキテクチャー及び機能はＵＭＴＳと大体同じであり、ただ無線アクセス側の物理層プロトコルにおける処理が異なっている。
【０００５】
上記の種々の無線アクセス技術を用いるネットワークアーキテクチャーにおいては、一つのパケット交換ドメインのノード、例えばＧＧＳＮが、設備事業者によって提供される移動通信網と、外部のパケット交換網とのエッジにあり、ＧＧＳＮはＭＳとパケット交換網との間のデータフローの集中（ｃｏｎｖｅｒｇｅｎｃｅ）と転送を実現する。
【発明の開示】
【発明が解決しようとする課題】
【０００６】
従来技術では、前記データフローの集中と転送機能を実現するネットワークノード例えばＧＧＳＮがＭＳアクセスを提供するとき、集中したデータフローの制限のため、アクセスできるＭＳの数が限定される。換言すれば、集中したデータフローの制限のため、アクセスできるＭＳ数が多ければ多いほど、各ＭＳの使用できる帯域が少なくなる。
【０００７】
そこで、本発明の実施例は、移動端末がパケット交換網にさらに手軽にアクセスできる、無線アクセスゲートウェイ、無線アクセスポイント、及び前記無線アクセスゲートウェイと無線アクセスポイントとからなる無線アクセス網を開示している。
【課題を解決するための手段】
【０００８】
無線アクセスゲートウェイであって、
移動端末の網アクセスを制御し、前記移動端末の移動管理を行い、パケット交換サービスのルーティングと転送制御を行うものであり、
前記移動端末のアクセス要求を受信し、移動管理モジュールによって提供されたアドレス情報に基づき、前記移動端末とパケット交換網との間の通信リンクを確立する網アクセス制御モジュールと、
移動通信網での前記移動端末のアドレス情報を管理する移動管理モジュールと、
前記移動端末によって要求された前記パケット交換サービスの前記パケット交換網での転送パスを確立、修正及び解放するパケットルーティングと転送制御モジュールとを含む。
【０００９】
前記網アクセス制御モジュールに接続され、前記移動端末と前記移動通信網との間で交換の音声パケットのカプセル化と転送を管理する音声転送管理モジュールをさらに含む。
【００１０】
無線アクセスポイントに対して認証と登録を行う無線アクセスポイント管理モジュールをさらに含む。
【００１１】
移動加入者のために課金ポリシー管理、課金情報の収集と報告を行い、前記移動加入者のために課金インタフェースを提供する課金管理モジュールをさらに含む。
伝送網の操作と維持機能を提供する網管理モジュールをさらに含む。
【００１２】
前記網アクセス制御モジュールは、さらに、前記移動端末に対して認証、認可及びアドミタンスを行う。
【００１３】
無線アクセスポイントであって、
伝送網を介してパケット交換網に接続され、無線リソースを割り当て及び管理することで移動端末の前記パケット交換網へのアクセスを実現し、前記移動端末と前記パケット交換網との間で交換のパケット交換サービスをカプセル化して転送し、
前記移動端末からのアクセス要求を受信した後、無線リンクを確立し又は解放し、前記移動端末のアクセスに対してアドミタンス制御を行う無線アクセスモジュールと、
前記移動端末と前記パケット交換網との間で交換の前記パケット交換サービスをカプセル化し、前記無線アクセスモジュールによって確立された前記無線リンクを通じて前記パケット交換サービスを転送するパケット転送モジュールと、
前記移動端末のアクセスのために前記無線リソースの割当て、回収及び維持を行う無線リソース管理モジュールとを含む。
【００１４】
前記無線アクセスモジュールに接続され、音声パケットのフォーマット変換を行う音声符号化復号化モジュールをさらに含む。
【００１５】
無線アクセス網であって、
無線アクセスゲートウェイと、伝送網を介して前記無線アクセスゲートウェイに接続される一つ以上の無線アクセスポイントとを含み、
前記無線アクセスポイントは、前記伝送網を介してパケット交換網に接続され、無線リソースを割り当てることで移動端末の前記パケット交換網へのアクセスを実現し、前記無線リソースを管理し、前記移動端末と前記パケット交換網との間で交換のパケット交換サービスをカプセル化して転送し、
前記無線アクセスゲートウェイは、前記移動端末に対して網アクセス制御及び移動管理を行い、前記移動端末に対して前記パケット交換サービスのルーティングと転送制御を行う。
【００１６】
前記移動端末のユーザ契約情報と、アクセス制御情報と、位置情報と、認証情報とを記憶するユーザ契約レジスタをさらに含み、
前記ユーザ契約レジスタは、直接又はシグナリング伝送ポイントを介して前記無線アクセスゲートウェイに接続され、
前記無線アクセスゲートウェイは、さらに、前記アクセス要求に基づき、前記ユーザ契約情報を検索し、前記移動端末に対して認証を行い、前記移動端末が認証でパスした場合、前記パケット交換網への接続を前記無線アクセスポイントを介して確立するように前記移動端末を管理する。
【００１７】
前記ユーザ契約レジスタが移動通信網におけるホームロケーションレジスタ（ＨＬＲ）である。
【００１８】
前記無線アクセスゲートウェイは、さらに、前記アクセス要求に基づき、前記サービスを判断し、前記サービスが音声サービスである場合、前記移動端末を移動通信網の回線交換ドメインにアクセスする。
【００１９】
前記無線アクセスゲートウェイに接続され、前記移動端末に対して認証及び認可を行う認証認可課金（ＡＡＡ）サーバをさらに含む。
【００２０】
前記無線アクセスゲートウェイは、移動通信網内のパケット交換ドメインゲートウェイに接続され、前記移動端末は、前記パケット交換ドメインゲートウェイを介して移動パケットサービスにアクセスする。
【００２１】
前記無線アクセスゲートウェイは、移動通信網内の交換センターに接続され、前記移動端末は、前記交換センターを介して公衆交換電話網（ＰＳＴＮ）に接続される。
【００２２】
前記無線アクセスポイントは、さらに、移動通信網内の交換センターと、パケット交換ドメインゲートウェイとに接続され、前記移動端末は、前記無線アクセスポイントを介して移動パケットサービスにアクセスし、又は前記パケット交換ドメインゲートウェイを介して移動パケットサービスにアクセスし、又は前記交換センターを介して回線交換ドメインサービスにアクセスする。
【００２３】
前記パケット交換ドメインゲートウェイはゲートウェイ汎用パケット無線サービス（ＧＰＲＳ）サポートノード（ＧＧＳＮ）であり、前記交換センターは移動交換センター（ＭＳＣ）であり、前記移動通信網はユニバーサルモバイルテレコミュニケーションシステム（ＵＭＴＳ）網、ＧＰＲＳ網又は時分割−同期符号分割多重接続（ＴＤ−ＳＣＤＭＡ）網であり、又は、
前記パケット交換ドメインゲートウェイはパケットデータサービスノード（ＰＤＳＮ）であり、前記交換センターは移動交換センター（ＭＳＣ）であり、前記移動通信網はＣＤＭＡ２０００網である。
【００２４】
前記伝送網はデジタル加入者線（ｘＤＳＬ）網、アイピーオーバーイーサネット（登録商標）（ＩＰ  ｏｖｅｒ  Ｅｔｈｅｒｎｅｔ（登録商標））網、アイピーオーバーエーティーエム（ＩＰ  ｏｖｅｒ  ＡＴＭ）網又はワイマックス（ＷｉＭＡＸ）網である。
無線アクセス方法であって、
無線アクセスポイントが、移動端末によって要求されたサービスのサービスタイプを含むアクセス要求を受信し、
前記無線アクセスポイントが、前記アクセス要求におけるサービスタイプを無線アクセスゲートウェイに送信し、
前記無線アクセスゲートウェイが、前記移動端末によって要求された前記サービスがパケット交換サービスであると判断した場合、前記移動端末とパケット交換網との間の通信接続を確立することを含む。前記無線アクセスポイントが前記アクセス要求における前記サービスタイプを前記無線アクセスゲートウェイに送信した後、
前記無線アクセスゲートウェイが、前記要求されたサービスが移動パケットサービスである場合、前記移動端末とパケット交換ドメインゲートウェイとの間の通信接続を確立し、ここで、前記移動端末が前記パケット交換ドメインゲートウェイを介して前記移動パケットサービスにアクセスすることをさらに含む。前記無線アクセスポイントが前記アクセス要求における前記サービスタイプを前記無線アクセスゲートウェイに送信した後、
前記無線アクセスゲートウェイが、前記要求されたサービスが回線交換ドメインサービスである場合、前記移動端末と交換センターとの間の通信接続を確立し、ここで、前記移動端末が前記交換センターを介して前記回線交換ドメインサービスにアクセスすることをさらに含む。
【００２５】
前記無線アクセスポイントが前記アクセス要求における前記サービスタイプを前記無線アクセスゲートウェイに送信した後、
前記無線アクセスゲートウェイが前記無線アクセスポイントに対して認証を行うことをさらに含む。
【００２６】
前記無線アクセスポイントに対して認証を行うことは、設備シリアル番号とキーを通じて前記無線アクセスポイントに対して認証を行うことを含む。
【発明の効果】
【００２７】
本発明の技術案により、移動端末は無線アクセスポイントのみを介して、直接パケット交換網に接続され、パケット交換サービスの伝送を行うことができ、無線アクセスゲートウェイにより無線アクセスポイントを管理し、データ伝送を制御する。本発明は、シングル加入者のパケット交換サービスの転送能力を高め、データフローの移動ネットワークエッジでの集中を避け、アクセス制御器とネットワークエッジ設備（ＧＧＳＮなど）の圧力を低減している。また、パケット交換サービスを転送するネットワークのアーキテクチャーを簡略化し、ネットワーク処理の遅延時間を減少し、転送性能を向上させている。
【発明を実施するための最良の形態】
【００２８】
本発明の目的、技術案及びメリットをさらに明確にするため、図面を参照して本発明をさらに詳しく説明する。
【００２９】
図２に示すように、本発明の実施例は無線アクセス網を提出している。移動端末２０１は従来の移動端末であってよく、移動通信網とパケット交換網も従来の移動通信網とパケット交換網であってよい。本発明の実施例に係る無線アクセス網は、無線アクセスゲートウェイ（ＡＧ，Ａｃｃｅｓｓ  Ｇａｔｅｗａｙ）２０４と、少なくとも一つの無線アクセスポイント（ＡＰ，Ａｃｃｅｓｓ  Ｐｏｉｎｔ）２０２と、ユーザ契約レジスタ２０６とを含む。また、本無線アクセス網は、直接又は移動通信網を介して無線アクセスゲートウェイ２０４に接続され、移動端末に対して認可、認証などを行うＡＡＡサーバ２０５をさらに含むことができる。
【００３０】
無線アクセスゲートウェイ２０４は、伝送網２０３を介して一つ又は複数の無線アクセスポイント２０２に接続され、無線アクセスポイント２０２に対して管理と制御を行う。伝送網２０３はデジタル加入者線（ｘＤＳＬ）網、アイピーオーバーイーサネット（登録商標）（ＩＰ  ｏｖｅｒ  Ｅｔｈｅｒｎｅｔ（登録商標））網、アイピーオーバーエーティーエム（ＩＰ  ｏｖｅｒ  ＡＴＭ（非同期伝送モード））網又はワイマックス（ＷｉＭＡＸ，Ｗｏｒｌｄｗｉｄｅ  Ｉｎｔｅｒｏｐｅｒａｂｉｌｉｔｙ  Ｍｉｃｒｏｗａｖｅ  Ａｃｃｅｓｓ）網などであってよい。無線アクセスゲートウェイ２０４と無線アクセスポイント２０２が異なる伝送網に適応される場合、異なる伝送網は無線アクセスゲートウェイ２０４と無線アクセスポイント２０２との機能に影響を与えない。伝送網２０３は伝送網２０３上のゲートウェイ設備を介してパケット交換網に接続される。
【００３１】
ユーザ契約レジスタ２０６は、ＭＳのアクセス制御情報、位置情報及び認証情報を記憶するものである。ユーザ契約レジスタ２０６はホームロケーションレジスタ（ＨＬＲ）と、認証センター（ＡｕＣ）と、設備識別レジスタ（ＥＩＲ）とを含むことができる。ユーザ契約レジスタ２０６は通信サービスを伝送しなく、パケット交換サービスのためにサービス記憶アドレスと識別情報を伝送する。異なるアプリケーションに対して、ユーザ契約レジスタ２０６は必要に応じて音声サービスに関する回線交換ドメインのサービス情報を記憶することも可能である。ＨＬＲは永久の加入者データを記憶し、加入者データはずっとＨＬＲに記憶されていることができる。ＡｕＣは認証ベクトルを生じるデータベースである。一般に、ＨＬＲとＡｕＣは混在して一緒に移動端末に対して認証を行う。ＥＩＲは移動端末のハードディスクに関する識別情報を記憶する。
【００３２】
無線アクセスゲートウェイ２０４は、主にパケット交換ドメインのデータ伝送機能を提供し、以下のことを含む。
【００３３】
網アクセス制御であって、移動端末から通信網までの接続を実現することでネットワークサービス使用の目的に達し、認証と認可、アドミタンス、パケットフィルタ等を含む。そのうち、移動端末のアクセス制御は移動側又はネットワークの固定側で行われることができる。網アクセス制御は一部の特定のプロセス、例えば、移動加入者数の限定、シングル移動加入者のアクセス能力の限定などを完了することができる。
【００３４】
パケットルーティングと転送制御であって、無線アクセスゲートウェイにおいて、主に制御プレーンの機能を完了し、特に、転送パスの確立、修正及び解放手順を完了し、アドレス変換とマッピング、カプセル化、トンネリング（ｔｕｎｎｅｌｉｎｇ）など機能を含む。前記転送パスはソースノードと宛先ノードとからなり、中継ノードを備える可能性もある。
【００３５】
移動管理であって、移動網での移動端末のアドレス情報と位置情報の管理を完了する。
【００３６】
無線アクセスポイント管理であって、主に、無線アクセスポイントに対する認証と登録管理の手順を完了する。
【００３７】
課金管理であって、移動端末の課金ポリシー管理、課金情報の収集と報告、課金インタフェースの提供などを完了する。
【００３８】
網管理機能であって、主に、伝送網の操作と維持の関連機能を提供する。
【００３９】
上記機能に基づき、本発明の実施例では、網アクセス制御モジュールと、パケットルーティングと転送制御モジュールと、音声転送と管理モジュールと、移動管理モジュールと、無線アクセスポイント管理モジュールと、課金管理モジュールと、網管理モジュールとを含む無線アクセスゲートウェイの構成を提出する。
【００４０】
ここで、網アクセス制御モジュールは、移動端末とネットワーク層との間の通信リンクの確立を完了する。パケットルーティングと転送制御モジュールは、パケット転送パスの確立、修正及び解放を完了する。音声転送と管理モジュールは、移動端末２０１と移動通信網の回線交換ドメインとの間で交換の音声パケットのカプセル化と転送を行う。移動管理モジュールは、移動網での移動端末の位置情報の管理を完了する。無線アクセスポイント管理モジュールは、無線アクセスポイントに対する認証と登録管理の手順を完了する。課金管理モジュールは、移動端末の課金ポリシー管理、課金情報の収集と報告、課金インタフェースの提供を完了する。網管理モジュールは伝送網の操作と維持（ＯＡＭ，Ｏｐｅｒａｔｉｏｎ  ａｎｄ  Ｍａｎａｇｅｍｅｎｔ）の関連機能を提供する。
【００４１】
無線アクセスゲートウェイ２０４は、移動端末２０１が移動通信網でパケット交換サービスの伝送を行うように制御する。
【００４２】
また、無線アクセスゲートウェイ２０４は、Ｇａ、Ｇｂ、Ｇｄ、Ｇｅ、Ｇｆ、Ｇｎ制御プレーン、Ｇｒ、Ｇｓなどを含む一部分の標準のインタフィースを提供でき、これらのインタフェースによって、無線アクセスゲートウェイ２０４と移動通信網内の他のネットワーク要素との相互接続が実現できる。
【００４３】
無線アクセスポイント２０２は以下の機能を有する。
【００４４】
無線アクセス制御であって、主に、無線リンクの確立と解放、無線インタフェースのアドミタンス制御、及び無線インタフェースパケットのスケジューリングなどを完了する。
【００４５】
パケットルーティングと転送であって、  主に、パケット交換サービスのカプセル化と転送を完了する。
【００４６】
無線リソース管理機能であって、主に、無線リソースの割当、回収及び維持を担当し、切り替え管理、電力制御、アクセス制御及びパケットスケジューリングなどを含む。
【００４７】
音声符号化復号化機能であって、主に、無線インタフェースとネットワーク層インタフェースとの間の音声パケットのフォーマット変換を完了する。
【００４８】
網管理機能であって、伝送網に対する操作と維持を提供する。
【００４９】
上記機能を実現するために、本発明の実施例による無線アクセスポイント２０２は少なくとも無線アクセス制御モジュールと、パケットルーティングと転送モジュールと、無線リソース管理モジュールとを含む。
【００５０】
無線アクセス制御モジュールは、移動端末のアクセス要求に基づき、無線リンクの確立又は解放を行い、前記移動端末のアクセスに対してアドミタンス制御を行うものである。パケットルーティングと転送モジュールは、パケット交換サービスのカプセル化と転送を完了するものである。無線リソースモジュールは、無線リソースの割当、回収及び維持を完了するものである。
【００５１】
また、無線アクセスポイント２０２は、無線インタフェースとネットワーク層インタフェースとの間の音声パケットのフォーマット変換を完了し、一部のリアルタイム性の強い回線交換ドメインのサービスに対して処理を行う音声符号化復号化モジュールをさらに含む。
【００５２】
無線アクセスポイント２０２は、さらに、Ｇｉ、Ｇｎ加入者プレーンインタフェースを提供して、従来の移動端末のシームレスアクセス（ｓｅａｍｌｅｓｓ  ａｃｃｅｓｓ）をサポートすることができ、設備の適用性を向上させる。
【００５３】
上記本発明の実施例を採用した無線アクセス網において、移動端末のアクセスを実現するプロセスは図３に示すように、以下のステップを含む。
【００５４】
ステップ３０１において、移動端末はサービスタイプ情報を含むサービス伝送要求を無線アクセスポイントへ送信する。
【００５５】
ステップ３０２において、無線アクセスポイントは前記サービスタイプ情報を無線アクセスゲートウェイに送信する。
【００５６】
ステップ３０３において、無線アクセスゲートウェイは前記サービスタイプ情報に基づき、移動端末から要求されたサービスタイプを判断し、パケット交換サービスであれば、ステップ３０４を実行し、回線交換サービス、即ち音声サービスであれば、ステップ３０５を実行する。
【００５７】
ステップ３０４において、無線アクセスゲートウェイはＭＳが無線アクセスポイントを介して直接パケット交換網にアクセスするように制御し、本プロセスを終了する。
【００５８】
ステップ３０５において、無線アクセスゲートウェイはＭＳが移動通信網にアクセスするように制御する。
【００５９】
無線アクセスポイントは、無線アクセスゲートウェイにアクセスする前に、無線アクセスポイントを認証する必要があり、これにより、無線アクセスポイントにアクセスする正当性を保証する。ここで、設備シリアル（ｓｅｒｉａｌ）番号とキーに基づく設備認証方式を提供する。
【００６０】
設備シリアル番号は無線アクセスポイントを唯一に識別し、通常、設備を生産する際に、予め無線アクセスポイント設備上に記憶されている。キーは設備シリアル番号と一対一であり、暗号化された後で無線アクセスポイント設備に記憶されることができる。無線アクセスポイントの設備シリアル番号とその対応するキーは、さらに、無線アクセスゲートウェイのデータベースに記憶される。
【００６１】
無線アクセスポイントの認証手順は図４に示す通りである。無線アクセスポイント設備認証要求（Ａｃｃｅｓｓ  Ｐｏｉｎｔ  Ｄｅｖｉｃｅ  Ａｕｔｈ  Ｒｅｑｕｅｓｔ）メッセージに付けられている情報要素（ｉｎｆｏｒｍａｔｉｏｎ  ｅｌｅｍｅｎｔ）は、トランザクションＩＤ（ｔｒａｎｓａｃｔｉｏｎ  ＩＤ）、設備シリアル番号及びハッシュ（ＨＡＳＨ）アルゴリズムの結果＜キー＋トランザクションＩＤ＋設備シリアル番号＞を含む。前記トランザクションＩＤはこの要求メッセージを唯一に識別し、無線アクセスポイントから生成されるものである。前記トランザクションＩＤがランダムに取得されることが提案される。設備シリアル番号は無線アクセスポイント設備の記憶媒体から取得される。ハッシュアルゴリズムは安全なハッシュアルゴリズムＳＨＡ−１を用いることができる。ここで、上記キー＋トランザクションＩＤ＋設備シリアル番号はハッシュアルゴリズムの入力パラメータである。無線アクセスポイントと無線アクセスゲートウェイにおけるハッシュアルゴリズムは一致性を保つべきである。
【００６２】
無線アクセスポイント設備認証応答（Ａｃｃｅｓｓ  Ｐｏｉｎｔ  Ｄｅｖｉｃｅ  Ａｕｔｈ  Ｒｅｓｐｏｎｓｅ）メッセージに付けられている情報要素（ｉｎｆｏｒｍａｔｉｏｎ  ｅｌｅｍｅｎｔ）は、トランザクションＩＤ（ｔｒａｎｓａｃｔｉｏｎ  ＩＤ）、認証結果及びハッシュアルゴリズムの結果＜キー＋トランザクションＩＤ＋認証結果＞を含む。トランザクションＩＤは無線アクセス設備認証要求メッセージから取得される。ハッシュアルゴリズムの結果をメッセージのオプションの情報要素としてよい。
【００６３】
無線アクセスゲートウェイ設備による無線アクセスポイント設備への認証手順は図５に示すように、以下のステップを含む。
【００６４】
ステップ５０１において、無線アクセスポイント設備は自分の記憶媒体から設備シリアル番号及びキーを取得し、無線アクセスポイント設備認証要求メッセージを生成し、前記メッセージを所属する無線アクセスゲートウェイ設備に送信する。
【００６５】
ステップ５０２において、無線アクセスゲートウェイ設備は受信したメッセージ内の設備シリアル番号に基づき、対応のキーを取得し、ハッシュ計算を行い、計算結果と、受信したメッセージ内のハッシュ計算の結果とを比較して、無線アクセスポイント設備が正当であるかどうかを判断し、認証結果を無線アクセスポイント設備に送信する。
【００６６】
無線アクセスゲートウェイ設備は無線アクセスポイントの認証要求メッセージを受信した後、メッセージ内の設備シリアル番号に基づきデータベースから対応のキーを抽出し、ハッシュアルゴリズム＜キー＋トランザクションＩＤ＋設備シリアル番号＞を行い、得られたハッシュアルゴリズムの結果と、要求メッセージ内のハッシュアルゴリズムの結果とを比較し、一致すれば、当該無線アクセスポイント設備が正当であり、一致しなければ、当該無線アクセスポイント設備が非法であるとする。無線アクセスゲートウェイ設備は認証の結果に基づき無線アクセスポイント設備の認証応答メッセージを生成し、当該メッセージを対応の無線アクセスポイント設備に送信する。
【００６７】
ステップ５０３において、無線アクセスポイント設備は認証応答メッセージを受信した後、認証結果を判断し、正当であれば、ネットワークへのアクセスを許可され、正当でなければ、トランザクションＩＤを更新し、無線アクセスポイントの認証要求メッセージを再生成し、上記認証手順を繰り返す。
【００６８】
上記無線アクセスポイント設備の認証手順において、前記キーは対称キーでもよく、非対称キーでもよい。ハッシュアルゴリズムについて、ＳＨＡ−１を用いてもよく、ＭＤ５など他のアルゴリズムを用いてもよい。非対称キーを用いるとき、無線アクセスポイント設備が秘密キーを持ち、無線アクセスゲートウェイが公開キーを持つ。具体的なプロセスは大体同じであるので、ここで説明を省略する。
【００６９】
ＭＳが無線アクセスポイント設備へアクセス要求を開始するとき、無線アクセスポイント設備は無線アクセスゲートウェイの協力でＭＳへの認証を完了し、一連のシグナリング交換を介して、ＭＳからネットワークへのアクセスを完了する。無線アクセスゲートウェイ設備は無線リソースへの管理を担当する。ＭＳはパケット交換サービス伝送を行うとき、直接無線アクセスポイントとパケット交換網を介してデータ伝送を行うことができ、従来のＧＰＲＳなどネットワークによって行われるデータ伝送に比べて、ネットワークアーキテクチャーが比較的に簡単であり、加入者の遅延時間を減少し、転送性能を高め、エアインタフェースの帯域幅を増加させる。
【００７０】
上記無線アクセス方案に基づき、本発明の実施例では一つのネットワークアーキテクチャーを提出し、上記無線アクセス網を従来の３Ｇ網と組み合わせることにより、音声など回線交換ドメインのサービスを処理できるのみではなく、パケット交換サービスを高効率に処理することもできる。次に、無線アクセス網とＵＭＴＳ網の組合せを例として、本実施例を詳しく説明する。
【００７１】
図６に示すように、従来技術でのＵＭＴＳ網が上記無線アクセス網に接続されている。ここで、無線アクセスゲートウェイはＵＭＴＳ網内のＶＬＲ／ＭＳＣ、ＳＧＳＮ及びＧＧＳＮに接続されると共に、一つのユーザ契約レジスタ、即ちＵＭＴＳ網内のＨＬＲをＵＭＴＳ網と共有することもできる。
【００７２】
無線アクセスゲートウェイは、Ｉｕ−ＣＳインタフェース、Ｇｎインタフェース、Ｇｒインタフェース、Ｇａインタフェースなどを提供し、このようにして、無線アクセスゲートウェイと従来の移動通信網とのシームレス接続が保証される。無線アクセスゲートウェイはＩｕ−ＣＳインタフェースを介してＶＬＲ／ＭＳＣに接続される。ＭＳが無線アクセスポイントを介してネットワークにアクセスするとき、Ｉｕ−ＣＳインタフェースを介して通信接続を回線交換ドメインに属するＭＳＣに転送することができ、これにより、回線交換ドメインの機能が実現される。無線アクセスゲートウェイは、また、Ｇｎインタフェースを介してパケット交換ドメインに属するＳＧＳＮ、ＧＧＳＮに接続される。ＭＳは無線アクセスポイントを介してネットワークにアクセスするとき、無線アクセスゲートウェイによって提供されたＧｎインタフェースを介してＧＧＳＮに転送され、ＧＧＳＮを介してパケット交換サービスの伝送を行うことができ、又はＧＧＳＮを介して、ＵＭＴＳに接続された他のネットワークと通信を行うことができる。ＭＳの通信接続が無線アクセス網から３Ｇ網へ転送される場合、無線アクセスゲートウェイはＳＧＳＮを介して転送を行う。
【００７３】
当該ネットワークにおいて、無線アクセスゲートウェイは、無線アクセスポイントを介してアクセスしてくる移動端末に対して、ＵＭＴＳ網のＨＬＲに記憶されたユーザ契約情報に基づいて、位置情報、契約情報の検索を行うことができる。そして、移動端末から要求されたサービスタイプを判断し、サービスタイプに基づき、加入者が対応のサービスを契約したかどうかを判断し、相応の処理を行うことができる。加入者から音声サービスを要求された場合、無線アクセスゲートウェイは加入者の要求をＵＭＴＳのＶＬＲ／ＭＳＣに転送し、ＶＬＲ／ＭＳＣにより回線交換ドメインのサービスを行う。加入者からパケット交換サービスの伝送を要求された場合、無線アクセスポイントにより、加入者の要求したサービスの宛先アドレスに基づき、経路の選択を行い、パケット交換網との接続を確立し、直接パケット交換サービスの伝送を行う。このようにして、加入者が回線交換ドメインのサービスを伝送するとき、元の移動通信網を利用し、パケット交換ドメインサービスを伝送するとき、直接無線アクセスポイントを介してパケット交換網と接続することにより、中間のデータ伝送部分を減少し、ネットワーク処理の遅延時間を低減する。無線アクセスゲートウェイは独立のネットワークノードとされてもよく、ＳＧＳＮの付加機能モジュールとしてＳＧＳＮに統合（ｉｎｔｅｇｒａｔｅｄ）されてもよい。
【００７４】
同様に、本発明の実施例に係る無線アクセス網は、提供された一部のパブリックインタフェース（ｐｕｂｌｉｃ  ｉｎｔｅｒｆａｃｅ）を介して、ＡＡＡ設備などネットワーク設備の従来のＵＭＴＳ網との共有を実現できる。
【００７５】
本発明において、無線アクセスポイントと無線アクセスゲートウェイとの間のインタフェースに搭載のメッセージはユーザプレーンとシグナリングプレーンとの二部分に分けられる。ユーザプレーンは、異なるユーザデータグラムプロトコル（ＵＤＰ：Ｕｓｅｒ  Ｄａｔａｇｒａｍ  Ｐｒｏｔｏｃｏｌ）のポートナンバーを用いて、ＣＳメッセージとＰＳメッセージを区別し、シグナリングプレーンは、シグナリング制御伝送プロトコル（ＳＣＴＰ：Ｓｉｇｎａｌｉｎｇ  Ｃｏｎｔｒｏｌ  Ｔｒａｎｓｍｉｓｓｉｏｎ  Ｐｒｏｔｏｃｏｌ）アソシエーション（ａｓｓｏｃｉａｔｉｏｎ）内の異なるフロー識別子を用いて、ＣＳシグナリング又はＰＳシグナリングを区別する。ＭＳのアップリンクのシグナリングメッセージにはＣＳ又はＰＳ識別子が付けられ、無線アクセスポイントは当該識別子に基づき、ＳＣＴＰアソシエーションに対応するフロー識別子を選択する。無線アクセスゲートウェイは、フロー識別子に基づき、当該メッセージがＣＳドメインに送信されるものであるか、それともＰＳドメインに送信されるものであるかを区別することができる。ダウンリンクのシグナリングメッセージは、無線アクセスゲートウェイにより異なるフロー識別子に対応するリンクに配信される。ＭＳのアップリンクのユーザプレーンデータに対して、無線アクセスポイントは無線ベアラー（ＲＢ，Ｒａｄｉｏ  Ｂｅａｒｅｒ）に基づき、ＣＳに属するか、それともＰＳに属するかを判断し、次に、相応のＵＤＰポートナンバーを選択して無線アクセスゲートウェイに送信する。無線アクセスゲートウェイはポートナンバーに基づき、ＣＳであるか、それともＰＳであるかを区別する。ダウンリンクのユーザプレーンデータは無線アクセスゲートウェイにより異なるＵＤＰポートに対応する無線ベアラーに配信される。
【００７６】
図７は当該無線アクセス網と従来のＧＰＲＳ網との組合せの構成図である。その接続方式はＵＭＴＳ網における接続方式と大体同じであり、異なる部分としては、ＭＳがエアインタフェースＵｍを介して無線アクセスポイントにアクセスすることである。無線アクセスゲートウェイと無線アクセスポイントの構成に対しては何の変化もせずに、アダプテーション層（ａｄａｐｔａｔｉｏｎ  ｌａｙｅｒ）の調整のみをすることで、ＧＰＲＳ網のニーズに適応することができる。
【００７７】
図８は当該パケット交換サービス伝送網と従来のＣＤＭＡ２０００網との組合せの構成図である。無線アクセスゲートウェイはＶＬＲ／ＭＳＣと、パケットデータサービスノード（ＰＤＳＮ，Ｐａｃｋｅｔ  Ｄａｔａ  Ｓｅｒｖｉｃｅ  Ｎｏｄｅ）と、ホームエージェント（ＨＡ，Ｈｏｍｅ  Ａｇｅｎｔ）とにそれぞれ接続され、具体的なプロセスはＵＭＴＳ網のプロセスと類似しているので、ここで説明を省略する。
【００７８】
同様に、当該無線アクセス網は従来のＴＤ−ＳＣＤＭＡ網に接続されることもでき、ここでは説明を省略する。
【００７９】
また、本発明の実施例は無線アクセス方法を提出している。無線アクセスゲートウェイは伝送網を介して無線ノードに接続され、移動端末はネットワークにアクセスした後、無線アクセスポイントを介してパケット交換網とパケット交換サービスの伝送を行う。伝送網はｘＤＳＬ網、ＩＰ  ｏｖｅｒ  Ｅｔｈｅｒｅｎｔ網、ＩＰ  ｏｖｅｒ  ＡＴＭ網又はＷｉＭＡＸ網であってよい。無線アクセスゲートウェイは無線アクセスポイントに対して認証を行い、具体的な認証方法は前述を参照でき、ここで説明を省略する。
【００８０】
無線アクセスゲートウェイは従来の移動通信網におけるパケット交換ドメインのゲートウェイに接続されることができる。このように、移動端末は従来の移動通信網のパケット交換ドメインのゲートウェイを介して、従来の移動通信網に接続される他のネットワークとお互いに通信することができる。前記パケット交換ドメインのゲートウェイはＧＧＳＮ又はＰＤＳＮであってよい。
【００８１】
また、無線アクセスゲートウェイは従来の移動通信網の交換センターに接続されることができ、移動端末は従来のネットワークの交換センターを介して公衆交換電話網に接続されることができ、回線交換ドメインのサービス伝送を実現する。
【００８２】
ＵＭＴＳ網において、パケット交換サービスゲートウェイはＧＧＳＮであり、交換センターは移動交換センターであり、ＧＰＲＳ網において、パケット交換サービスゲートウェイはＧＧＳＮであり、交換センターは移動交換センターであり、ＣＤＭＡ２０００網において、パケット交換サービスゲートウェイはパケット交換サービスノードであり、交換センターは移動交換センターであり、ＴＤ−ＳＣＤＭＡ網において、パケット交換サービスゲートウェイはＧＧＳＮであり、交換センターは移動交換センターである。
【００８３】
無線アクセスゲートウェイは無線アクセスポイントを管理し、移動端末の無線アクセスとデータ伝送を制御する。
【００８４】
上記方法により、移動端末が無線アクセスポイントを介してデータ網にアクセスするプロセスは図９に示すように、以下のステップを含む。
【００８５】
ステップ９０１において、ＭＳは無線アクセスポイントへコールを開始し、送信したメッセージには所要のサービスのサービスタイプが付けられている。
【００８６】
ここで、前記所要のサービスは音声サービス、移動パケットサービス又はパケット交換サービスであってよい。前記移動パケットサービスは移動事業者又はそのパートナーにより提供されるパケット交換サービスを指している。
【００８７】
ステップ９０２において、無線アクセスポイントはＭＳのアクセスが正当であるかどうかを判断し、ＭＳから送信されたメッセージにおけるサービスタイプを無線アクセスゲートウェイ設備に報告する。
【００８８】
ステップ９０３において、無線アクセスゲートウェイはＭＳの所要のサービスタイプに基づき、コールを相応の機能エンティティに転送する。
【００８９】
ＭＳの所要のサービスが、音声サービス１である場合、ステップ９０４に進み、移動パケットサービスである場合、ステップ９０５に進み、パケット交換網におけるパケット交換サービスである場合、ステップ９０６に進む。
【００９０】
ステップ９０４において、無線アクセスゲートウェイはコールをＭＳＣ／ＶＬＲに転送し、移動交換センターにより回線交換ドメインの関連処理を行う。
【００９１】
ステップ９０５において、無線アクセスゲートウェイは被呼側のアドレスに基づき、経路選択を行い、被呼側の属するＧＧＳＮを決定し、無線アクセスポイントが宛先ＧＧＳＮとの接続を確立するように制御する。
【００９２】
図１０に示すように、無線アクセスポイントとＧＧＳＮとの間に接続が確立され、無線アクセスポイントは伝送プロトコルデータユニット（Ｔ−ＰＤＵ，Ｔｒａｎｓｆｅｒ  Ｐｒｏｔｏｃｏｌ  Ｄａｔａ  Ｕｎｉｔ）をＧＧＳＮに送信する。ＧＧＳＮはＴ−ＰＤＵに対してカプセル化と処理を行って、ＧＴＰヘッダー付きの伝送プロトコルデータユニット（Ｇ−ＰＤＵ，ＧＴＰ  ｈｅａｄｅｒ  ｅｎｃａｐｓｕｌａｔｅｄ  ＴＰＵ）を形成してコールの宛先アドレスに送信し、移動パケット網との接続を確立する。移動パケット網はＴ−ＰＤＵを、ＧＧＳＮを介して無線アクセスポイントに送信する。無線アクセスポイントはパケット交換サービスをＭＳに伝送し、これにより、移動パケットサービスへのアクセスが完了される。
【００９３】
ステップ９０６において、無線アクセスゲートウェイは、ＭＳが無線アクセスポイントを介して直接パケット交換網にアクセスするように、無線アクセスポイントを制御する。
【００９４】
図１１に示すように、無線アクセスポイントはＧＧＳＮを介することなく、直接Ｔ−ＰＤＵをＰＤＳＮに送信する。ＰＤＳＮはパケット交換サービスを無線アクセスポイントに送信する。無線アクセスポイントはパケット交換サービスをＭＳに転送する。これにより、パケット交換網へのアクセスが完了される。
【００９５】
上記方法により、移動端末はパケット交換サービスの高速伝送を実現できる。無線アクセスポイントを介すれば、網側設備の集中と転送がなくても、直接パケット交換網にアクセスすることが可能になる。従って、データ伝送の帯域幅が向上し、ネットワーク処理の遅延時間が低下する。また、当該方法により、加入者が音声サービスを実現し、他の網とのインターコネクションを実現することも可能になる。
【００９６】
上記のように、本発明はシングル加入者のパケット交換サービスの転送能力を高め、アクセス制御器と移動網エッジにおけるトラフィックの集中を避け、アクセス制御器と移動網エッジ設備の性能圧力を減少させている。また、提供された無線アクセス網によって、ネットワーク処理の遅延時間が低下し、エアインタフェースの帯域幅が向上し、転送性能が向上し、加入者のサービス体験が改善されている。
【００９７】
説明すべきは、以上は本発明の好ましい実施例に過ぎず、本発明の保護範囲を限定するものではない。
【図面の簡単な説明】
【００９８】
【図１】従来のＵＭＴＳ網の構成を示す図である。
【図２】本発明の実施例による無線アクセス網の構成図である。
【図３】本発明の実施例による移動端末の無線アクセスを実現するフローチャートである。
【図４】本発明の実施例による無線アクセスゲートウェイ設備が無線アクセスポイント設備に対して認証を行うシグナリングの交換を示す図である。
【図５】本発明の実施例による無線アクセスゲートウェイ設備が無線アクセスポイント設備に対して認証を行うフローチャートである。
【図６】本発明の実施例によるパケット交換網とＵＭＴＳ網とを結合したネットワークアーキテクチャーを示す図である。
【図７】本発明の実施例によるパケット交換網とＧＰＲＳ網とを結合したネットワークアーキテクチャーを示す図である。
【図８】本発明の実施例によるパケット交換網とＣＤＭＡ２０００網とを結合したネットワークアーキテクチャーを示す図である。
【図９】本発明の実施例による無線アクセスポイントを介してデータ網にアクセスすることを示すフローチャートである。
【図１０】本発明の実施例によるＭＳが無線アクセスポイントのカバレージで移動パケット交換サービスにアクセスするシグナリングの交換を示す図である。
【図１１】本発明の実施例によるＭＳが無線アクセスポイントのカバレージでパケット交換網にアクセスするシグナリングの交換を示す図である。
【符号の説明】
【００９９】
２０１  移動端末
２０２  無線アクセスポイント
２０３  伝送網
２０４  無線アクセスゲートウェイ
２０５  ＡＡＡサーバ
２０６  ユーザ契約レジスタ
【図１】
2009508416.tif 000003
【図２】
2009508416.tif 000004
【図３】
2009508416.tif 000005
【図４】
2009508416.tif 000006
【図５】
2009508416.tif 000007
【図６】
2009508416.tif 000008
【図７】
2009508416.tif 000009
【図８】
2009508416.tif 000010
【図９】
2009508416.tif 000011
【図１０】
2009508416.tif 000012
【図１１】
2009508416.tif 000013
【手続補正書】
【提出日】平成20年3月13日(2008.3.13)
【手続補正１】
【補正対象書類名】特許請求の範囲
【補正対象項目名】全文
【補正方法】変更
【補正の内容】
【特許請求の範囲】
【請求項１】
無線アクセスゲートウェイであって、
移動端末の網アクセスを制御し、前記移動端末の移動管理を行い、パケット交換サービスのルーティングと転送制御を行うものであり、
移動通信網での前記移動端末のアドレス情報を管理する移動管理モジュールと、
前記移動端末のアクセス要求を受信し、前記移動管理モジュールによって提供された前記アドレス情報に基づき、前記移動端末とパケット交換網との間の通信リンクを確立する網アクセス制御モジュールと、
前記移動端末によって要求された前記パケット交換サービスの前記パケット交換網での転送パスを確立、修正及び解放するパケットルーティングと転送制御モジュールと
を含むことを特徴とする無線アクセスゲートウェイ。
【請求項２】
前記網アクセス制御モジュールに接続され、前記移動端末と前記移動通信網との間で交換の音声パケットのカプセル化と転送を管理する音声転送管理モジュールをさらに含むことを特徴とする請求項１に記載の無線アクセスゲートウェイ。
【請求項３】
無線アクセスポイントに対して認証と登録を行う無線アクセスポイント管理モジュールをさらに含むことを特徴とする請求項１に記載の無線アクセスゲートウェイ。
【請求項４】
移動加入者のために課金ポリシー管理、課金情報の収集と報告を行い、前記移動加入者のために課金インタフェースを提供する課金管理モジュールをさらに含むことを特徴とする請求項１に記載の無線アクセスゲートウェイ。
【請求項５】
伝送網の操作と維持機能を提供する網管理モジュールをさらに含むことを特徴とする請求項１に記載の無線アクセスゲートウェイ。
【請求項６】
前記網アクセス制御モジュールは、さらに、前記移動端末に対して認証、認可及びアドミタンスを行うことを特徴とする請求項１〜請求項５のいずれか１項に記載の無線アクセスゲートウェイ。
【請求項７】
無線アクセスポイントであって、
伝送網を介してパケット交換網に接続され、無線リソースを割り当て及び管理することで移動端末の前記パケット交換網へのアクセスを実現し、前記移動端末と前記パケット交換網との間で交換のパケット交換サービスをカプセル化して転送し、
前記移動端末からのアクセス要求を受信した後、無線リンクを確立し、前記移動端末のアクセスに対してアドミタンス制御を行う無線アクセスモジュールと、
前記移動端末と前記パケット交換網との間で交換の前記パケット交換サービスをカプセル化し、前記無線アクセスモジュールによって確立された前記無線リンクを通じて前記パケット交換サービスを転送するパケット転送モジュールと、
前記移動端末のアクセスのために前記無線リソースの割当て、回収及び維持を行う無線リソース管理モジュールと
を含むことを特徴とする無線アクセスポイント。
【請求項８】
前記無線アクセスモジュールに接続され、音声パケットのフォーマット変換を行う音声符号化復号化モジュールをさらに含むことを特徴とする請求項７に記載の無線アクセスポイント。
【請求項９】
無線アクセス網であって、
移動端末によって要求されたサービスのサービスタイプを含むアクセス要求を送信する無線アクセスポイントと、
前記サービスタイプに基づいて、前記要求されたサービスを判断し、前記移動端末によって要求された前記サービスがパケット交換サービスである場合、前記移動端末とパケット交換網との間の通信接続を確立する無線アクセスゲートウェイと
を含むことを特徴とする無線アクセス網。
【請求項１０】
前記移動端末のユーザ契約情報と、アクセス制御情報と、位置情報と、認証情報とを記憶するユーザ契約レジスタをさらに含み、
前記ユーザ契約レジスタは、直接又はシグナリング伝送ポイントを介して前記無線アクセスゲートウェイに接続され、
前記無線アクセスゲートウェイは、さらに、前記アクセス要求に基づき、前記ユーザ契約情報を検索し、前記移動端末に対して認証を行い、前記移動端末が認証でパスした場合、前記無線アクセスポイントを介して前記パケット交換網への接続を確立するように前記移動端末を管理する
ことを特徴とする請求項９に記載の無線アクセス網。
【請求項１１】
前記ユーザ契約レジスタが移動通信網におけるホームロケーションレジスタ（ＨＬＲ）であることを特徴とする請求項１０に記載の無線アクセス網。
【請求項１２】
前記無線アクセスゲートウェイは、さらに、前記アクセス要求に基づき、前記サービスを判断し、前記サービスが音声サービスである場合、前記移動端末を移動通信網の回線交換ドメインにアクセスすることを特徴とする請求項９に記載の無線アクセス網。
【請求項１３】
前記無線アクセスゲートウェイに接続され、前記移動端末に対して認証及び認可を行う認証認可課金（ＡＡＡ）サーバをさらに含むことを特徴とする請求項９に記載の無線アクセス網。
【請求項１４】
前記無線アクセスゲートウェイは、移動通信網内のパケット交換ドメインゲートウェイに接続され、前記移動端末は、前記パケット交換ドメインゲートウェイを介して移動パケットサービスにアクセスすることを特徴とする請求項９に記載の無線アクセス網。
【請求項１５】
前記無線アクセスゲートウェイは、移動通信網内の交換センターに接続され、前記移動端末は、前記交換センターを介して公衆交換電話網（ＰＳＴＮ）に接続されることを特徴とする請求項９に記載の無線アクセス網。
【請求項１６】
前記無線アクセスポイントは、さらに、移動通信網内の交換センターと、パケット交換ドメインゲートウェイとに接続され、
前記移動端末は、前記無線アクセスポイントを介して移動パケットサービスにアクセスし、又は前記パケット交換ドメインゲートウェイを介して移動パケットサービスにアクセスし、又は前記交換センターを介して回線交換ドメインサービスにアクセスすることを特徴とする請求項９〜請求項１５のいずれか１項に記載の無線アクセス網。
【請求項１７】
前記パケット交換ドメインゲートウェイはゲートウェイ汎用パケット無線サービス（ＧＰＲＳ）サポートノード（ＧＧＳＮ）であり、前記交換センターは移動交換センター（ＭＳＣ）であり、前記移動通信網はユニバーサルモバイルテレコミュニケーションシステム（ＵＭＴＳ）網、ＧＰＲＳ網又は時分割−同期符号分割多重接続（ＴＤ−ＳＣＤＭＡ）網であり、又は、
前記パケット交換ドメインゲートウェイはパケットデータサービスノード（ＰＤＳＮ）であり、前記交換センターは移動交換センター（ＭＳＣ）であり、前記移動通信網はＣＤＭＡ２０００網である
ことを特徴とする請求項１６に記載の無線アクセス網。
【請求項１８】
無線アクセス方法であって、
無線アクセスゲートウェイが、移動端末によって要求されたサービスのサービスタイプを含むアクセス要求を受信し、
前記無線アクセスゲートウェイが、前記サービスタイプに基づいて、前記要求されたサービスを判断し、
前記無線アクセスゲートウェイが、前記移動端末によって要求された前記サービスがパケット交換サービスである場合、前記移動端末とパケット交換網との間の通信接続を確立する
ことを含むことを特徴とする無線アクセス方法。
【請求項１９】
前記無線アクセスゲートウェイが、前記要求されたサービスが移動パケットサービスである場合、前記移動端末とパケット交換ドメインゲートウェイとの間の通信接続を確立し、ここで、前記移動端末とパケット交換ドメインゲートウェイとの間の通信接続は、前記移動端末が前記パケット交換ドメインゲートウェイを介して前記移動パケットサービスにアクセスすることに用いる
ことをさらに含むことを特徴とする請求項１８に記載の無線アクセス方法。
【請求項２０】
前記無線アクセスゲートウェイが、前記要求されたサービスが回線交換ドメインサービスである場合、前記移動端末と交換センターとの間の通信接続を確立し、ここで、前記移動端末と交換センターとの間の通信接続は、前記移動端末が前記交換センターを介して前記回線交換ドメインサービスにアクセスすることに用いる
ことをさらに含むことを特徴とする請求項１８に記載の無線アクセス方法。
【請求項２１】
前記無線アクセスゲートウェイが前記無線アクセスポイントに対して認証を行うことをさらに含むことを特徴とする請求項１８に記載の無線アクセス方法。
【請求項２２】
前記無線アクセスポイントに対して認証を行うことは、設備シリアル番号とキーを通じて前記無線アクセスポイントに対して認証を行うことを含むことを特徴とする請求項２１に記載の無線アクセス方法。
【手続補正２】
【補正対象書類名】明細書
【補正対象項目名】０００８
【補正方法】変更
【補正の内容】
【０００８】
無線アクセスゲートウェイであって、
移動端末の網アクセスを制御し、前記移動端末の移動管理を行い、パケット交換サービスのルーティングと転送制御を行うものであり、
移動通信網での前記移動端末のアドレス情報を管理する移動管理モジュールと、
前記移動端末のアクセス要求を受信し、前記移動管理モジュールによって提供された前記アドレス情報に基づき、前記移動端末とパケット交換網との間の通信リンクを確立する網アクセス制御モジュールと、
前記移動端末によって要求された前記パケット交換サービスの前記パケット交換網での転送パスを確立、修正及び解放するパケットルーティングと転送制御モジュールとを含む。
【手続補正３】
【補正対象書類名】明細書
【補正対象項目名】００１３
【補正方法】変更
【補正の内容】
【００１３】
無線アクセスポイントであって、
伝送網を介してパケット交換網に接続され、無線リソースを割り当て及び管理することで移動端末の前記パケット交換網へのアクセスを実現し、前記移動端末と前記パケット交換網との間で交換のパケット交換サービスをカプセル化して転送し、
前記移動端末からのアクセス要求を受信した後、無線リンクを確立し、前記移動端末のアクセスに対してアドミタンス制御を行う無線アクセスモジュールと、
前記移動端末と前記パケット交換網との間で交換の前記パケット交換サービスをカプセル化し、前記無線アクセスモジュールによって確立された前記無線リンクを通じて前記パケット交換サービスを転送するパケット転送モジュールと、
前記移動端末のアクセスのために前記無線リソースの割当て、回収及び維持を行う無線リソース管理モジュールとを含む。
【手続補正４】
【補正対象書類名】明細書
【補正対象項目名】００１５
【補正方法】変更
【補正の内容】
【００１５】
無線アクセス網であって、
移動端末によって要求されたサービスのサービスタイプを含むアクセス要求を送信する無線アクセスポイントと、
前記サービスタイプに基づいて、前記要求されたサービスを判断し、前記移動端末によって要求された前記サービスがパケット交換サービスである場合、前記移動端末とパケット交換網との間の通信接続を確立する無線アクセスゲートウェイとを含む。
【手続補正５】
【補正対象書類名】明細書
【補正対象項目名】００２４
【補正方法】変更
【補正の内容】
【００２４】
無線アクセス方法であって、
無線アクセスゲートウェイが、移動端末によって要求されたサービスのサービスタイプを含むアクセス要求を受信し、
前記無線アクセスゲートウェイが、前記サービスタイプに基づいて、前記要求されたサービスを判断し、
前記無線アクセスゲートウェイが、前記移動端末によって要求された前記サービスがパケット交換サービスである場合、前記移動端末とパケット交換網との間の通信接続を確立することを含む。
前記無線アクセスゲートウェイが、前記要求されたサービスが移動パケットサービスである場合、前記移動端末とパケット交換ドメインゲートウェイとの間の通信接続を確立し、ここで、前記移動端末とパケット交換ドメインゲートウェイとの間の通信接続は、前記移動端末が前記パケット交換ドメインゲートウェイを介して前記移動パケットサービスにアクセスすることに用いることをさらに含む。
前記無線アクセスゲートウェイが、前記要求されたサービスが回線交換ドメインサービスである場合、前記移動端末と交換センターとの間の通信接続を確立し、ここで、前記移動端末と交換センターとの間の通信接続は、前記移動端末が前記交換センターを介して前記回線交換ドメインサービスにアクセスすることに用いることをさらに含む。
【手続補正６】
【補正対象書類名】明細書
【補正対象項目名】００２５
【補正方法】変更
【補正の内容】
【００２５】
前記無線アクセスゲートウェイが前記無線アクセスポイントに対して認証を行うことをさらに含む。
【手続補正７】
【補正対象書類名】明細書
【補正対象項目名】００２９
【補正方法】変更
【補正の内容】
【００２９】
図２に示すように、本発明の実施例は無線アクセス網を提出している。移動端末２０１は従来の移動端末であってよく、移動通信網とパケット交換網も従来の移動通信網とパケット交換網であってよい。本発明の実施例に係る無線アクセス網は、無線アクセスゲートウェイ（ＡＧ，Ａｃｃｅｓｓ  Ｇａｔｅｗａｙ）２０４と、少なくとも一つの無線アクセスポイント（ＡＰ，Ａｃｃｅｓｓ  Ｐｏｉｎｔ）２０２と、ユーザ契約レジスタ２０６とを含む。また、ＭＳがオペーク（ｏｐａｑｕｅ）パケットサービスにアクセスする場合、本無線アクセス網は、直接又は移動通信網を介して無線アクセスゲートウェイ２０４に接続され、移動端末に対して認可、認証などを行うＡＡＡサーバ２０５をさらに含むことができる。
【国際調査報告】
2009508416.tif 000014
2009508416.tif 000015
2009508416.tif 000016
2009508416.tif 000017